(57)【要約】【課題】  患者になるべくストレスを与えないで点滴等のチューブを外す等の行為を防止できる介護用手カバー具の提供。【解決手段】  手６の周囲を囲むカバー部１と、カバー部１の末端部に形成した手の差し入れ口２とを備え、カバー部１は、通気性を有する網状の生地３を用い、手６の周囲に空間１７ができるように形成してある。【選択図】      図１
2014114520.tif 000002
【特許請求の範囲】
【請求項１】
手の周囲を囲むカバー部と、カバー部の末端部に形成した手の差し入れ口とを備え、カバー部は、通気性を有する網状の生地を用い、手の周囲に空間ができるように形成してあることを特徴とする介護用手カバー具。
【請求項２】
カバー部は、網戸の網で形成してあることを特徴とする請求項１記載の介護用手カバー具。
【請求項３】
カバー部は、先端部に開口部を設けて筒状に形成してあり、且つ指先が開口部に届かないように長く形成してあることを特徴とする請求項１又は２記載の介護用手カバー具。
【請求項４】
カバー部には手の差し入れ口から先端部にかけてファスナーが設けてあり、ファスナーにより手の差し入れ口とカバー部を開閉自在としたことを特徴とする請求項１，２又は３記載の介護用手カバー具。
【発明の詳細な説明】
【技術分野】
【０００１】
本発明は、寝たきりの患者等が手で身体を掻きむしったり、点滴のチューブ、胃ろうチューブ、経鼻管、オムツ等を外そうとしたりするのを防ぐために用いられる介護用手カバー具に関する。
【背景技術】
【０００２】
従来のこの種の被介護者用の手の拘束具として、特許文献１に開示されるようなミトン状の拘束手袋があった。この介護用拘束手袋は、嵌めると手にぴったりとフィットして手指の自由が奪われ、通気性を有するメッシュ布を用いているとはいえ、手袋内が蒸れるために水虫あるいは爪白癬になることがあり、患者にストレスを与えるものであった。
【先行技術文献】
【特許文献】
【０００３】
【特許文献１】特開２０１２−２２４９５３号公報
【発明の概要】
【発明が解決しようとする課題】
【０００４】
本発明は以上に述べた実情に鑑み、患者になるべくストレスを与えないで点滴等のチューブを外す等の行為を防止できる介護用手カバー具の提供を目的とする。
【課題を解決するための手段】
【０００５】
上記の課題を達成するために請求項１記載の発明による介護用手カバー具は、手の周囲を囲むカバー部と、カバー部の末端部に形成した手の差し入れ口とを備え、カバー部は、通気性を有する網状の生地を用い、手の周囲に空間ができるように形成してあることを特徴とする。
【０００６】
請求項２記載の発明による介護用手カバー具は、請求項１記載の発明の構成に加え、カバー部は、網戸の網で形成してあることを特徴とする。
【０００７】
請求項３記載の発明による介護用手カバー具は、請求項１又は２記載の発明の構成に加え、カバー部は、先端部に開口部を設けて筒状に形成してあり、且つ指先が開口部に届かないように長く形成してあることを特徴とする。
【０００８】
請求項４記載の発明による介護用手カバー具は、請求項１，２又は３記載の発明の構成に加え、カバー部には手の差し入れ口から先端部にかけてファスナーが設けてあり、ファスナーにより手の差し入れ口とカバー部を開閉自在としたことを特徴とする。
【発明の効果】
【０００９】
請求項１記載の発明による介護用手カバー具は、手の周囲を囲むカバー部を通気性を有する網状の生地で形成し、且つ手の周囲に空間ができるように形成してあることで、患者は手指を自由に動かすことができると共に内部が蒸れないため、患者のストレスを軽減することができる。しかも、手の周囲をカバー部で囲むことで、患者が手で点滴等のチューブやオムツを外そうとしたりするのを防ぐことができる。また、カバー部を通して手が透けて見えるため、手の観察も容易である。
【００１０】
請求項２記載の発明による介護用手カバー具は、カバー部を網戸の網で形成したので、カバー部にある程度の硬さを持たせて形を維持することができ、しかも通気性が良好で、尚且つ丈夫で破れにくく、頻回の洗濯でも縮むことがない。さらに、手が網戸の網で形成したカバー部で覆われることで、手で身体の痒いところを掻いても皮膚へのダメージを抑えられ、またカバー部は適度な柔軟性も有しているため、顔にあたっても傷つかない。また、網戸の網を利用することで、安価に製作することができる。
【００１１】
請求項３記載の発明による介護用手カバー具は、カバー部の先端部に開口部を設けて筒状に形成したことで、拘束感が和らげられると共に通気性が一層向上するため、患者のストレスをより一層軽減できる。しかもカバー部は、指先が開口部に届かないように長く形成してあるため、患者が手で点滴等のチューブやオムツを外そうとしたりするのを確実に防ぐことができる。
【００１２】
請求項４記載の発明による介護用手カバー具は、カバー部に手の差し入れ口から先端部にかけてファスナーを設け、ファスナーにより手の差し入れ口とカバー部を開閉自在としたことで、患者の手への付け外しが容易に行える。
【図面の簡単な説明】
【００１３】
【図１】本発明の介護用手カバー具の一実施形態を示す正面図である。
【図２】同介護用手カバー具の側面図である。
【図３】図１のＸ方向矢視図である。
【図４】同介護用手カバー具のカバー部及び手の差し入れ口を開いた状態を示す側面図である。
【図５】同介護用手カバー具の製作手順を示す図である。
【発明を実施するための形態】
【００１４】
以下、本発明の実施の形態を図面に基づいて説明する。図１〜４は、本発明の介護用手カバー具の一実施形態を示している。本介護用手カバー具は、手６の周囲を囲むカバー部１と、カバー部１の先端部に形成した開口部４と、カバー部１の末端部に形成した手の差し入れ口２と、手の差し入れ口２に縫い付けられた手首への固定部７とを有している。
【００１５】
カバー部１は、網戸の網３を二重にしたものを用い、中間部が先端側及び末端側よりも広がった筒状に形成されている。カバー部１は、手首から指先６ａまでの長さよりも十分長い長さ、具体的には約２５ｃｍの長さを有している。カバー部１中央部の最も広がった部分は、直径が約１３ｃｍとなっており、カバー部１の先端の開口部４の直径は約６ｃｍとなっている。カバー部１の側面には、図２に示すように、手の差し入れ口２より開口部４にかけてファスナー５が取り付けてあり、図４に示すようにファスナー５を開けることで、カバー部１及び手の差し入れ口２を開放できるようになっている。カバー部１の内側には、綿の布地８が縫い付けてあって、この綿の布地８が手６の甲と掌に当たるようになっている。また、開口部４と手の差し入れ口２、及びファスナー５により開閉される縁部は、綿の縁布９ａ，９ｂ，９ｃを網３の縁部を覆うように取り付けて形成されている。
【００１６】
手首への固定部７は、手の差し入れ口２に縫い付けられた一対の手首カバー片１０ａ，１０ｂと、手首カバー片１０ａ，１０ｂの周囲に巻きつけられるベルト１１と、片方の手首カバー片１０ａの上に重ねて取り付けたベルトカバー片１２とを有している。ベルト１１は、ガイド１３に通して手首の周りに巻きつけられ、面ファスナ１４により片方の手首カバー片１０ａに接着して固定される。さらに、固定したベルト１１の上にベルトカバー片１２を重ね、ベルトカバー片１２の裏面をベルト１１に面ファスナで接着するとともに、ベルトカバー片１２を片方の手首カバー片１０ａにボタンホック１５で固定している。ボタンホック１５は、ロック機構付のものを用いており、上面中央部に設けたボタン１５ａを押さなければ外れない構造になっている。このように、ベルト１１を手首のまわりに巻きつけて固定し、さらにベルト１１をベルトカバー片１２で覆ってロック機構付のボタンホック１５で固定してあることで、患者が自分で本介護用手カバー具を外そうとしても、外れないようになっている。
【００１７】
次に、本介護用手カバー具の製作手順を図５に即して説明する。まず、図５（ａ）に示すように、網戸の網３を長方形の形にして２枚重ね、図５（ｂ）に示すように、両側の縁部にプリーツ１６を複数作り、両側をしぼった形にする。その後、網３の周囲の縁部を挟み込むようにして縁布９ａ，９ｂ，９ｃをボンドで接着して取り付け、さらに網戸の網をほどいて作成した糸で縁布９ａ，９ｂ，９ｃを網３に縫いつける。また、手の差し入れ口２となる側の内側に、綿の布地８を縫い付ける。その後、これを図５（ｄ）に示すように筒状の形に丸め、先端部の縁布９ａの端部を縫い合わせて開口部４を形成し、側縁部の縁布９ｃ，９ｃ間にファスナー５を縫い付ける。最後に、手の差し入れ口２に手首への固定部７のパーツを縫い付ける。
【００１８】
本介護用カバー具を手に装着するときは、図４に示すように、ファスナー５を上げてカバー部１と手の差し入れ口２を開放させ、手６を中に入れてからファスナー５を下ろしてカバー部１を閉じ、その後ベルト１１を手首の周りに巻きつけて面ファスナ１４で固定し、ベルトカバー片１２をボタンホック１５で留める。
【００１９】
本介護用カバー具は、手６に装着すると手６の周囲に空間１７が保持され、手指を自由に動かせるため、従来のミトン状の拘束手袋と比較して、患者の苦痛を大いに和らげることができる。しかも、カバー部１が通気性の良い網戸の網３で形成されており、尚且つ先端部に開口部４が設けてあることで、内部が蒸れることがないので、水虫や爪白癬になることも防止できる。さらに、カバー部１の生地を通して患者の手６が透けて見えるため、手６の観察も容易である。また、網戸の網３は適度な硬さがあり、これを二重にして用いることで、カバー部１の筒状の形を保持し、手６のまわりに空間が保持された状態を常に維持することができ、また患者が手指を動かして痒いところを掻いても、皮膚へのダメージを抑えられる。さらにカバー部１は、適度な柔軟性も併せ持つため、顔にあたっても傷つかない。網戸の網３を利用することで、安価に製作することができ、しかも丈夫で長持ちするものである。また、頻回の洗濯でも縮むことがない。さらにカバー部１は、指先６ａが開口部４に届かないように長く形成してあることで、患者が手６で点滴等のチューブやオムツを外そうとしたりするのを確実に防ぐことができる。また本介護用手カバー具は、カバー部１に手の差し入れ口２から先端部にかけてファスナー５を設け、ファスナー５により手の差し入れ口２とカバー部１を開閉自在としたことで、患者の手への付け外しが容易に行える。本介護用カバー具は、病衣やシャツ等の衣類の更衣時に、装着したままでも衣類の着脱が容易である。
【００２０】
本発明は以上に述べた実施形態に限定されない。カバー部１の形状や大きさは、適宜変更することができ、開口部４を有しない袋状であってもよい。またカバー部１は、必ずしも網戸の網３で形成したものに限らず、他の保形性を有する網状の生地で形成することもできる。
【符号の説明】
【００２１】
１  カバー部
２  手の差し入れ口
３  網戸の網（網状の生地）
４  開口部
５  ファスナー
６  手
６ａ  指先
【図１】
2014114520.tif 000003
【図２】
2014114520.tif 000004
【図３】
2014114520.tif 000005
【図４】
2014114520.tif 000006
【図５】
2014114520.tif 000007